(57)【特許請求の範囲】
【請求項１】
電子機器と、
前記電子機器が組み合わされる充電器と、
を備え、
前記電子機器は、
バッテリと、前記バッテリと電気的に接続されたコネクタとを有する本体部と、
前記本体部に沿って延びるクリップと、
前記クリップに設けられた磁石と、
を有し、
前記充電器は、
前記電子機器が前記充電器に組み合わされた場合に前記コネクタと接続される位置に配置された充電コネクタと、
前記電子機器が前記充電器に組み合わされた場合に前記クリップを収容する位置に形成された凹部と、
前記凹部における前記磁石との対向部に設けられ、前記磁石との間に吸引力が生じる吸引磁石と、
を有する、
電子機器と充電器のセット。
【請求項２】
前記吸引磁石は、凹部の底壁部における前記磁石との対向部に設けられている、
請求項１に記載の電子機器と充電器のセット。
【請求項３】
前記クリップは、
前記クリップの長さ方向の一端部であり、前記本体部に当接する第一端部と、
前記クリップの長さ方向の他端部であり、前記第一端部が前記本体部に当接した状態において前記本体部と離間する第二端部と、
前記第一端部と前記第二端部との間の部分である第一形状部と、
を有し、
前記凹部は、前記充電器における前記本体部との対向壁に形成され、
前記凹部の底壁部は、前記第一端部、前記第二端部、及び前記第一形状部とそれぞれ対向する第一対向部、第二対向部、及び第二形状部を有し、
前記第二形状部は、前記第一対向部側から前記第二対向部側に向かうに従って前記対向壁から徐々に遠ざかる形状を有し、
前記磁石及び前記吸引磁石は、前記第一形状部及び前記第二形状部にそれぞれ設けられている、
請求項１に記載の電子機器と充電器のセット。
【請求項４】
前記第二形状部は、前記第一対向部側から前記第二対向部側に向かうに従って前記対向壁から徐々に遠ざかるように反る反り形状を有する、
請求項３に記載の電子機器と充電器のセット。
【請求項５】
前記第一形状部は、前記第二形状部に沿うように反る反り形状を有する、
請求項４に記載の電子機器と充電器のセット。
【請求項６】
前記吸引磁石は、前記第二形状部の長さ方向の中央部よりも前記第二対向部側に配置されている、
請求項４又は請求項５に記載の電子機器と充電器のセット。
【請求項７】
前記コネクタ及び前記充電コネクタは、前記電子機器が前記充電器に組み合わされる方向に沿って接続される向きにそれぞれ配置され、
前記充電コネクタは、前記対向壁から突出して設けられ、
前記対向壁に対する前記充電コネクタの突出高さは、前記コネクタ及び前記充電コネクタが接続された状態において、前記第二端部と前記第二対向部との間に隙間を生じさせる高さに設定されている、
請求項３〜請求項６のいずれか一項に記載の電子機器と充電器のセット。
【請求項８】
前記コネクタは、前記電子機器が前記充電器に組み合わされる側から見て、前記クリップの前記第二端部側の延長上に配置されている、
請求項３〜請求項７のいずれか一項に記載の電子機器と充電器のセット。
【請求項９】
前記電子機器は、前記クリップを前記本体部に回動可能に支持する支持部を有し、
前記磁石は、前記支持部に対する前記第一端部側に配置されている、
請求項３〜請求項８のいずれか一項に記載の電子機器と充電器のセット。
【請求項１０】
前記クリップの両側の側部は、前記クリップの長さ方向に沿って平行に延びており、
前記凹部の両側の側面は、前記クリップの両側の側部に沿って形成されている、
請求項１〜請求項８のいずれか一項に記載の電子機器と充電器のセット。
【請求項１１】
前記本体部には、係合凹部が形成され、
前記充電器には、前記係合凹部と係合する形状を有する係合凸部が形成され、
前記係合凹部には、前記コネクタが設けられ、
前記係合凸部には、前記充電コネクタが設けられている、
請求項１〜請求項９のいずれか一項に記載の電子機器と充電器のセット。
【請求項１２】
子機と、
前記子機と通信する親機と、
前記子機及び前記親機が選択的に組み合わされる充電器と、
を備え、
前記子機は、
第一バッテリと、前記第一バッテリと電気的に接続された第一コネクタとを有する本体部と、
前記本体部に沿って延びるクリップと、
前記クリップに設けられた第一磁石と、
を有し、
前記親機は、第二バッテリと、前記第二バッテリと電気的に接続された第二コネクタと、第二磁石とを有し、
前記充電器は、
前記子機が前記充電器に組み合わされた場合に前記第一コネクタと接続され、前記親機が前記充電器に組み合わされた場合に前記第二コネクタと接続される位置に配置された充電コネクタと、
前記子機が前記充電器に組み合わされた場合に前記クリップを収容する位置に形成された凹部と、
前記凹部における前記第一磁石との対向部に設けられ、前記第一磁石との間に吸引力が生じる第一吸引磁石と、
前記第二磁石との対向部に設けられ、前記第二磁石との間に吸引力が生じる第二吸引磁石と、
を有する、
通信システム。
【請求項１３】
前記親機は、前記凹部の横幅方向両側の部分との対向部に前記第二磁石をそれぞれ有し、
前記充電器は、前記凹部の横幅方向両側の部分に前記第二吸引磁石をそれぞれ有する、
請求項１２に記載の通信システム。
【請求項１４】
前記本体部には、第一係合凹部が形成され、
前記親機には、第二係合凹部が形成され、
前記充電器には、前記第一係合凹部及び第二係合凹部とそれぞれ係合する形状を有する係合凸部が形成され、
前記第一係合凹部には、前記第一コネクタが設けられ、
前記第二係合凹部には、前記第二コネクタが設けられ、
前記係合凸部には、前記充電コネクタが設けられている、
請求項１２又は請求項１３に記載の通信システム。
【請求項１５】
前記子機を複数備える、
請求項１２〜請求項１４のいずれか一項に記載の通信システム。
【発明の詳細な説明】
【技術分野】
【０００１】
本願の開示する技術は、電子機器と充電器のセット、及び通信システムに関する。
【背景技術】
【０００２】
電子機器と充電器のセットでは、電子機器が充電器に組み合わされることにより、電子機器のコネクタが充電器の充電コネクタに接続される。そして、コネクタ及び充電コネクタを介して充電器から電子機器のバッテリに電力が供給され、バッテリが充電される（例えば、特許文献１、２参照）。【０００３】
また、この種の電子機器としては、例えば、受信した信号を振動、音、又は光等に変換する機能を有するものがある（例えば、特許文献３、４、及び非特許文献１）。
【先行技術文献】
【特許文献】
【０００４】
【特許文献１】特開２０１３−０３８９２０号公報
【特許文献２】特開２０１２−１３０２２７号公報
【特許文献３】特開２０００−１６６９６０号公報
【特許文献４】実開平６−５５２００号公報
【非特許文献】
【０００５】
【非特許文献１】髪の毛で音を感じる新しいユーザインタフェース、[online]、２０１９年２月２１日検索、インターネット＜URL: http://ontenna.jp/＞
【発明の概要】
【発明が解決しようとする課題】
【０００６】
電子機器と充電器のセットでは、電子機器のバッテリを円滑に充電するために、電子機器を充電器の正規の位置に容易に組み合わせられることが要求される。【０００７】
本願の開示する技術は、一つの側面として、電子機器を充電器に容易に組み合わせられるようにすることを目的とする。
【課題を解決するための手段】
【０００８】
上記目的を達成するために、本願の開示する技術の一観点に係る電子機器と充電器のセットは、電子機器と、電子機器が組み合わされる充電器とを備える。電子機器は、本体部と、クリップと、磁石とを有する。本体部は、バッテリと、バッテリと電気的に接続されたコネクタとを有する。クリップは、本体部に沿って延びる。磁石は、クリップに設けられている。充電器は、充電コネクタと、凹部と、吸引磁石とを有する。充電コネクタは、電子機器が充電器に組み合わされた場合にコネクタと接続される位置に配置されている。凹部は、電子機器が充電器に組み合わされた場合にクリップを収容する位置に形成されている。吸引磁石は、凹部における磁石との対向部に設けられ、吸引磁石と磁石との間には吸引力が生じる。
【発明の効果】
【０００９】
本願の開示する技術によれば、電子機器を充電器に容易に組み合わせることができる。
【図面の簡単な説明】
【００１０】
【図１】本願の開示する技術の一実施形態に係る通信システムの説明図である。
【図２】図１の子機及び親機の第一使用例を説明する図である。
【図３】図１の子機及び親機の第二使用例を説明する図である。
【図４】図１の子機及び親機の第三使用例を説明する図である。
【図５】図１の子機を単独で使用する場合の使用例を説明する図である。
【図６】図１の通信システムのブロック図である。
【図７】図１の子機の斜視図である。
【図８】図１の子機の六面図である。
【図９】図８のＦ９−Ｆ９線断面図である。
【図１０】図１の親機の斜視図である。
【図１１】図１の親機の六面図である。
【図１２】図１１のＦ１２−Ｆ１２線断面図である。
【図１３】図１の充電器の斜視図である。
【図１４】図１の充電器の六面図である。
【図１５】図１４のＦ１５−Ｆ１５線断面図である。
【図１６】図１の子機を充電器に組み合わせた状態を示す断面図である。
【図１７】図１４のＦ１７−Ｆ１７線断面図である。
【図１８】図１の親機を充電器に組み合わせた状態を示す断面図である。
【図１９】図１の子機を充電器に組み合わせる様子を説明する図である。
【図２０】図１の親機を充電器に組み合わせる様子を説明する図である。
【発明を実施するための形態】
【００１１】
はじめに、本願の開示する技術の一実施形態に係る通信システムの概略を説明する。
【００１２】
図１には、本実施形態に係る通信システムＳの概略が示されている。図１に示されるように、通信システムＳは、複数の子機１０と、親機６０と、充電器１００とを備える。複数の子機１０のそれぞれは、「電子機器」の一例である。複数の子機１０は、例えば、ろう者である第一ユーザ１によってそれぞれ使用され、親機６０は、第二ユーザによって使用される。子機１０は、本体部１１とクリップ１２を有しており、本体部１１とクリップ１２の間に髪の毛を挟むことにより、髪の毛に固定される。親機６０は、複数の子機１０と通信可能であり、親機６０から複数の子機１０に信号が送信されると、複数の子機１０は、受信した信号に応じて振動や光を発生する。
【００１３】
複数の子機１０及び親機６０は、充電器１００に選択的に組み合わされ、充電器１００によって充電される。複数の子機１０のそれぞれと充電器１００の組み合わせは、子機と充電器のセット２００を形成し、親機６０と充電器１００の組み合わせは、親機と充電器のセット２１０を形成する。子機と充電器のセット２００は、「電子機器と充電器のセット」の一例である。
【００１４】
図２〜図４には、複数の子機１０及び親機６０の使用例が示されている。図２に示されるように、親機６０には、プッシュボタンスイッチ７３が設けられている。リズム音に合わせてプッシュボタンスイッチ７３が第二ユーザ２によって押下されると、リズム音に応じた信号が親機６０から複数の子機１０に送信される。そして、各子機１０がリズム音に合わせて振動や光を発生し、各第一ユーザ１にリズム音を教えることができる。
【００１５】
また、図３に示されるように、親機６０には、マイク３が接続可能となっている。親機６０に接続されたマイク３にリズム音が入力されると、リズム音に応じた信号が親機６０から複数の子機１０に送信される。そして、各子機１０がリズム音に合わせて振動や光を発生し、各第一ユーザ１にリズム音を教えることができる。
【００１６】
また、図４に示されるように、親機６０には、スマートホン４が接続可能となっている。親機６０に接続されたスマートホン４からリズム音に応じた情報が出力されると、このリズム音に応じた信号が親機６０から複数の子機１０に送信される。そして、各子機１０がリズム音に合わせて振動や光を発生し、スマートホン５の画面を見ている各第一ユーザ１にリズム音を教えることができる。
【００１７】
上述の子機１０は、親機通信モードとマイク入力モードを有する。子機１０は、親機通信モードの場合、上述の通り、親機６０と通信する。図５には、子機１０を単独で使用する場合の使用例が示されている。図５に示されるように、子機１０には、マイク２１が搭載されている。子機１０は、マイク入力モードの場合に、マイク２１に音６が入力されると、この音６に応じて振動や光を発生し、第一ユーザ１に音６を教えることができる。なお、子機１０は、振動のみを発生するモード、光のみを発生するモード、振動及び光の両方を発生するモードに切り替えることができる。
【００１８】
図６は、通信システムＳのブロック図である。図６に示されるように、子機１０の本体部１１は、マイク２１、電源スイッチ２２、モード切替スイッチ２３、第一通信器２４、第一制御器２５、第一バッテリ２６、第一コネクタ２７、振動器２８、発光器２９、及び第一磁石３１を有する。マイク２１、電源スイッチ２２、モード切替スイッチ２３、第一通信器２４、振動器２８、及び発光器２９は、第一制御器２５及び第一バッテリ２６とそれぞれ電気的に接続されている。また、第一コネクタ２７は、第一バッテリ２６と電気的に接続されている。第一コネクタ２７は、「コネクタ」の一例であり、第一バッテリ２６は、「バッテリ」の一例であり、第一磁石３１は、「磁石」の一例である。
【００１９】
親機６０は、マイク音量スイッチ７１、電源スイッチ７２、プッシュボタンスイッチ７３、外部入力コネクタ７４、第二制御器７５、第二バッテリ７６、第二コネクタ７７、第二通信器７８、発光器７９、及び一対の第二磁石８２を有する。マイク音量スイッチ７１、電源スイッチ７２、プッシュボタンスイッチ７３、外部入力コネクタ７４、第二通信器７８、及び発光器７９は、第二制御器７５及び第二バッテリ７６と電気的に接続されている。また、第二コネクタ７７は、第二バッテリ７６と電気的に接続されている。
【００２０】
充電器１００は、電源コネクタ１０５、電源回路１０６、充電コネクタ１０７、第一吸引磁石１１１、及び一対の第二吸引磁石１１２を有する。電源コネクタ１０５及び充電コネクタ１０７は、電源回路１０６とそれぞれ電気的に接続されている。
【００２１】
次に、本実施形態に係る子機１０の構成を具体的に説明する。
【００２２】
図７、図８には、子機１０が示されている。図７（Ａ）は子機１０を正面側から見た斜視図、図７（Ｂ）は子機１０を背面側から見た斜視図である。また、図８（Ａ）は子機１０の正面図、図８（Ｂ）は子機１０の左側面図、図８（Ｃ）は子機１０の右側面図、図８（Ｄ）は子機１０の平面図、図８（Ｅ）は子機１０の底面図、図８（Ｆ）は子機１０の背面図である。
【００２３】
図７、図８に示されるように、子機１０の本体部１１は、筐体４０を有する。筐体４０は、子機１０の上下方向を長さ方向とする概略長円球状に形成されている。筐体４０の正面壁４１には、開口部４１Ａが形成されており、この開口部４１Ａの内側には、マイク２１が設けられている。筐体４０の左側壁４２には、一対の開口部４２Ａ、４２Ｂが形成されており、開口部４２Ａの内側には、電源スイッチ２２が設けられ、開口部４２Ｂの内側には、モード切替スイッチ２３が設けられている。筐体４０の背面壁４３には、子機１０の正面側に凹む第一係合凹部４４が形成されている。この第一係合凹部４４は、「係合凹部」の一例である。第一係合凹部４４の底壁部には、開口部４４Ａが形成されており、この開口部４４Ａの内側には、第一コネクタ２７が設けられている。
【００２４】
クリップ１２は、子機１０の背面視で概略長円形状に形成されており、本体部１１の長さ方向に沿って延びている。クリップ１２の長さ方向の一端部は、第一端部５１であり、クリップ１２の長さ方向の他端部、すなわち、クリップ１２の長さ方向における第一端部と反対側に位置する端部は、第二端部５２である。筐体４０の背面壁４３には、クリップ１２を回動可能に支持する支持部５５が設けられている。支持部５５は、本体部１１の左右方向に延びる支持軸５６を有しており、クリップ１２は、支持軸５６を中心に回動可能となっている。
【００２５】
支持軸５６には、トーションバネ５７が組み付けられており、トーションバネ５７は、第一端部５１が背面壁４３に当接する方向にクリップ１２を付勢している。第二端部５２に力が加えられていない状態では、トーションバネ５７による弾性力により第一端部５１が背面壁４３に当接した状態に維持される。第一端部５１には、凸部５１Ａが形成されており、具体的には、この凸部５１Ａが背面壁４３に当接される。第二端部５２は、支持部５５に対する第一端部５１と反対側に位置しており、この第二端部５２は、第一端部５１が背面壁４３に当接した状態において背面壁４３と離間する。
【００２６】
子機１０の背面側から見て、クリップ１２の第二端部５２側の延長上には、第一コネクタ２７が配置されている（図８（Ｆ）参照）。つまり、子機１０の背面側から見て、クリップ１２の第二端部５２側をクリップ１２の長さ方向に延長した場合に、この延長した部分と重複する位置に、第一コネクタ２７が配置されている。子機１０の背面側は、「電子機器が充電器に組み合わされる側」の一例である。
【００２７】
第一端部５１の左右方向両側の端部と第二端部５２の左右方向両側の端部とを繋ぐ一対の縁部は、クリップ１２の両側の側部５４である。このクリップ１２の両側の側部５４は、子機１０の背面視でクリップ１２の長さ方向に沿って平行に延びている。
【００２８】
図９には、図８のＦ９−Ｆ９線断面図が示されている。図９に示されるように、子機１０は、基板２０を有する。この基板２０には、上述のマイク２１、電源スイッチ２２、モード切替スイッチ２３、第一通信器２４、第一制御器２５、第一コネクタ２７、振動器２８、及び発光器２９（図６〜図８参照）が実装されている。基板２０及び第一バッテリ２６は、筐体４０に収容されている。基板２０は、子機１０の前後方向を板厚方向として配置されており、第一バッテリ２６は、基板２０と背面壁４３との間に配置されている。
【００２９】
クリップ１２における第一端部５１と第二端部５２との間の部分は、第一形状部５３であり、この第一形状部５３は、第一端部５１側から第二端部５２側に向かうに従って本体部１１から徐々に遠ざかる形状を有する。本実施形態では、一例として、第一形状部５３の形状は、第一端部５１側から第二端部５２側に向かうに従って本体部１１から徐々に遠ざかるように反る反り形状とされている。第一形状部５３の長さ方向の中央部には、第一形状部５３の湾曲部５３Ａの頂点が位置している。クリップ１２における第一端部５１と湾曲部５３Ａとの間の部分、及び、クリップ１２における湾曲部５３Ａと第二端部５２との間の部分は、一例として、いずれも平面状（側面視で直線状）に形成されている。
【００３０】
第一磁石３１は、第一形状部５３に設けられている。この第一磁石３１は、平盤状に形成されている。第一磁石３１は、より具体的には、第一形状部５３の長さ方向の中央部である湾曲部５３Ａの頂点よりも第二端部５２側に配置されている。また、この第一磁石３１は、支持部５５に対する第一端部５１側に配置されている。つまり、第一磁石３１は、第一形状部５３の湾曲部５３Ａの頂点と支持部５５との間に配置されている。
【００３１】
この第一磁石３１は、第一形状部５３の形状に沿って設けられている。これにより、第一磁石３１は、第一形状部５３の長さ方向の中央部側から支持部５５側に向かうに従って背面壁４３から徐々に遠ざかるように、背面壁４３に対して傾斜して配置されている。クリップ１２には、本体部１１側に開口する凹状部３３が形成されており、第一磁石３１は、この凹状部３３に嵌め込まれている。
【００３２】
次に、本実施形態に係る親機６０の構成を具体的に説明する。
【００３３】
図１０、図１１には、親機６０が示されている。図１０（Ａ）は親機６０を正面側から見た斜視図、図１０（Ｂ）は親機６０を背面側から見た斜視図である。また、図１１（Ａ）は親機６０の正面図、図１１（Ｂ）は親機６０の左側面図、図１１（Ｃ）は親機６０の右側面図、図１１（Ｄ）は親機６０の平面図、図１１（Ｅ）は親機６０の底面図、図１１（Ｆ）は親機６０の背面図である。
【００３４】
図１０、図１１に示されるように、親機６０は、筐体９０を有する。筐体９０は、親機６０の前後方向を厚さ方向とする概略円盤状に形成されている。図１０（Ａ）に示されるように、筐体９０の正面壁９１には、開口部９１Ａが形成されており、この開口部９１Ａの内側には、プッシュボタンスイッチ７３のボタンカバー７３Ａが設けられている。ボタンカバー７３Ａは、親機６０の正面視で円形状に形成されている。
【００３５】
筐体９０の周壁部９２には、開口部９２Ａ及び開口部９２Ｂが形成されており、開口部９２Ａの内側には、電源スイッチ７２が設けられ、開口部９２Ｂの内側には、外部入力コネクタ７４が設けられている。筐体９０の背面壁９３には、開口部９３Ａ及び開口部９３Ｂが形成されており、開口部９３Ａの内側には、マイク音量スイッチ７１が設けられ、開口部９３Ｂの内側には、発光器７９が設けられている。また、筐体９０の背面壁９３には、親機６０の正面側に凹む第二係合凹部９４が形成されている。この第二係合凹部９４の底壁部には、開口部９４Ａが形成されており、この開口部９４Ａの内側には、第二コネクタ７７が設けられている。
【００３６】
図１２には、図１１のＦ１２−Ｆ１２線断面図が示されている。図１２に示されるように、親機６０は、基板７０を有する。この基板７０には、上述のマイク音量スイッチ７１、電源スイッチ７２、プッシュボタンスイッチ７３、外部入力コネクタ７４、第二制御器７５、第二コネクタ７７、第二通信器７８、及び発光器７９（図６、図１０、図１１参照）が実装されている。基板７０及び第二バッテリ７６は、筐体９０に収容されている。基板７０は、親機６０の前後方向を板厚方向として配置されている。
【００３７】
一対の第二磁石８２は、親機６０の左右方向に並んで配置されている。この一対の第二磁石８２は、背面壁９３に設けられている。背面壁９３には、正面壁９１側に開口する一対の凹状部８３が形成されており、一対の第二磁石８２は、一対の凹状部８３にそれぞれ嵌め込まれている。
【００３８】
次に、本実施形態に係る充電器１００の構成を具体的に説明する。
【００３９】
図１３、図１４には、充電器１００が示されている。図１３（Ａ）は充電器１００を正面側から見た斜視図、図１３（Ｂ）は充電器１００を背面側から見た斜視図である。また、図１４（Ａ）は充電器１００の正面図、図１４（Ｂ）は充電器１００の左側面図、図１４（Ｃ）は充電器１００の右側面図、図１４（Ｄ）は充電器１００の平面図、図１４（Ｅ）は充電器１００の底面図、図１４（Ｆ）は充電器１００の背面図である。
【００４０】
図１３、図１４に示されるように、充電器１００は、筐体１２０を有する。筐体１２０は、充電器１００の前後方向を厚さ方向とする概略円盤状に形成されている。筐体１２０の正面壁１２１には、充電器１００の背面側に凹む凹部１３２が形成されている。この凹部１３２が形成された正面壁１２１は、「充電器における本体部との対向壁」の一例である。この凹部１３２は、一例として、正面壁１２１の中央部に形成されている。
【００４１】
この凹部１３２は、親機６０の正面視で親機６０の上下方向に延びる概略長円形状に形成されている。上述の子機１０が充電器１００に組み合わされた場合に、凹部１３２にはクリップ１２（図７〜図９参照）が収容される。この凹部１３２は、親機６０の正面視で上述のクリップ１２よりも僅かに大きい相似形状で形成されている。凹部１３２の両側の側面１３４は、上述のクリップ１２の両側の側部５４（図７〜図９参照）に沿って形成されている。
【００４２】
また、筐体１２０の正面壁１２１には、親機６０の正面側に凸む係合凸部１２４が形成されている。この係合凸部１２４の天壁部には、開口部１２４Ａが形成されており、この開口部１２４Ａの内側には、充電コネクタ１０７が設けられている。この充電コネクタ１０７は、子機１０が充電器１００に組み合わされた場合に第一コネクタ２７（図７〜図９参照）と接続され、親機６０が充電器１００に組み合わされた場合に第二コネクタ７７（図１０〜図１２参照）と接続される位置に配置されている。また、係合凸部１２４は、上述の第一係合凹部４４（図７〜図９参照）及び第二係合凹部９４（図１０〜図１２参照）とそれぞれ係合する形状を有する。
【００４３】
この充電コネクタ１０７は、充電器１００の正面側から見て、凹部１３２の長さ方向の延長上に配置されている（図１４（Ａ）参照）。つまり、充電器１００の正面側から見て、凹部１３２の第二コネクタ７７側を凹部１３２の長さ方向に延長した場合に、この延長した部分と重複する位置に、第二コネクタ７７が配置されている。筐体１２０の周壁部１２２には、開口部１２２Ａが形成されており、この開口部１２２Ａの内側には、電源コネクタ１０５が設けられている。電源コネクタ１０５には、図示しない電源ケーブルが接続される。
【００４４】
図１５は、図１４のＦ１５−Ｆ１５線断面図である。また、図１６には、図１の子機１０を充電器１００に組み合わせた状態が示されている。図１５、図１６に示されるように、第一コネクタ２７及び充電コネクタ１０７は、子機１０が充電器１００に組み合わされる方向に沿って接続される向きにそれぞれ配置されている。つまり、第一コネクタ２７は、充電器１００側を向く向きに配置されており、充電コネクタ１０７は、子機１０側を向く向きに配置されている。
【００４５】
充電コネクタ１０７は、係合凸部１２４に設けられることにより、正面壁１２１から突出している。つまり、充電コネクタ１０７は、充電器１００の正面壁１２１に対して突出高さＨを有する。この突出高さＨは、第一コネクタ２７及び充電コネクタ１０７が接続された状態において、クリップ１２の第二端部５２と、これに対向する底壁部１３３の第二対向部１４２との間に隙間を生じさせる高さに設定されている。
【００４６】
凹部１３２は、子機１０が充電器１００に組み合わされた場合にクリップ１２を収容する位置に形成されている。この凹部１３２は、底壁部１３３を有する。この底壁部１３３は、クリップ１２の第一端部５１、第二端部５２、及び第一形状部５３とそれぞれ対向する第一対向部１４１、第二対向部１４２、及び第二形状部１４３を有する。第一対向部１４１は、底壁部１３３の長さ方向の一端部であり、第二対向部１４２は、底壁部１３３の長さ方向の他端部である。第一対向部１４１は、クリップ１２の第一端部５１と同じ側に位置し、第一端部５１と対向する。第二対向部１４２は、クリップ１２の第二端部５２と同じ側に位置し、第二端部５２と対向する。
【００４７】
第二形状部１４３は、底壁部１３３における第一対向部１４１と第二対向部１４２との間の部分である。この第二形状部１４３は、第一対向部１４１側から第二対向部１４２側に向かうに従って充電器１００の正面壁１２１から徐々に遠ざかる形状を有する。本実施形態では、一例として、第二形状部１４３の形状は、第一形状部５３と同様に、第一対向部１４１側から第二対向部１４２側に向かうに従って正面壁１２１から徐々に遠ざかるように反る反り形状とされている。第二形状部１４３の長さ方向の中央部には、第二形状部１４３の湾曲部１４３Ａの頂点が位置している。底壁部１３３における第一対向部１４１と湾曲部１４３Ａとの間の部分、及び、底壁部１３３における湾曲部１４３Ａと第二対向部１４２との間の部分は、一例として、いずれも平面状（側面視で直線状）に形成されている。上述のクリップ１２に形成された第一形状部５３は、第二形状部１４３に沿うように反る反り形状を有する。
【００４８】
第一吸引磁石１１１は、「吸引磁石」の一例であり、第二形状部１４３に設けられている。本実施形態では、一例として、二つの磁石が重ね合わされており、この二つの磁石によって第一吸引磁石１１１が構成されている。この第一吸引磁石１１１を構成する二つの磁石は、それぞれ平盤状に形成されている。第一吸引磁石１１１は、底壁部１３３における第一磁石３１との対向部に設けられている。第一吸引磁石１１１は、第一磁石３１との間に吸引力が生じる向きで配置されている。つまり、第一吸引磁石１１１は、この第一吸引磁石１１１における第一磁石３１側の磁極が第一磁石３１における第一吸引磁石１１１側の磁極と異なるように配置されている。
【００４９】
第一吸引磁石１１１は、より具体的には、第二形状部１４３の長さ方向の中央部である湾曲部１４３Ａの頂点よりも第二対向部１４２側に配置されている。また、この第一吸引磁石１１１は、支持部５５との対向部に対する第一対向部１４１側に配置されている。つまり、第一吸引磁石１１１は、第二形状部１４３の長さ方向の中央部である湾曲部１４３Ａの頂点と、支持部５５との対向部との間に配置されている。
【００５０】
この第一吸引磁石１１１は、第二形状部１４３の形状に沿って設けられている。これにより、第一吸引磁石１１１は、第二形状部１４３の長さ方向の中央部側から支持部５５との対向部側に向かうに従って正面壁１２１から徐々に遠ざかるように、正面壁１２１に対して傾斜して配置されている。底壁部１３３には、正面壁１２１と反対側に開口する凹状部１１３が形成されている。第一吸引磁石１１１のうち第一の磁石は、この凹状部１１３に嵌め込まれており、第一吸引磁石１１１のうち第二の磁石は、第一の磁石に固着されている。
【００５１】
図１７は、図１４のＦ１７−Ｆ１７線断面図である。また、図１８には、図１の親機６０を充電器１００に組み合わせた状態が示されている。図１７、図１８に示されるように、一対の第二吸引磁石１１２は、充電器１００の左右方向に並んで配置されている。この一対の第二吸引磁石１１２は、正面壁１２１における一対の第二磁石８２との対向部にそれぞれ設けられている。具体的には、この一対の第二吸引磁石１１２は、凹部１３２の横幅方向両側の部分にそれぞれ設けられている。また、上述の一対の第二磁石８２は、凹部１３２の横幅方向両側の部分との対向部にそれぞれ設けられている。
【００５２】
正面壁１２１には、背面壁１２３側に開口する一対の凹状部１１４が形成されており、一対の第二吸引磁石１１２は、一対の凹状部１１４にそれぞれ嵌め込まれている。一対の第二吸引磁石１１２は、一対の第二磁石８２との間に吸引力が生じる向きで配置されている。つまり、各第二吸引磁石１１２は、この第二吸引磁石１１２における第二磁石８２側の磁極が第二磁石８２における第二吸引磁石１１２側の磁極と異なるように配置されている。
【００５３】
また、充電器１００は、ウェイト１３５（錘）を有する。ウェイト１３５は、充電器１００の前後方向を板厚方向として配置されている。このウェイト１３５は、筐体１２０に収容されている。ウェイト１３５は、充電器１００の正面視で概略Ｃ字状に形成されている。ウェイト１３５の中央部には、充電器１００の上下方向に延びる溝１３６が形成されており、この溝１３６の内側には、凹部１３２が配置されている。
【００５４】
次に、子機１０及び親機６０を選択的に充電器１００に組み合わせる方法と併せて、本実施形態の作用及び効果を説明する。
【００５５】
図１９には、図１の子機１０を充電器１００に組み合わせる様子が示されている。子機１０は、充電器１００の正面の斜め上方から徐々に充電器１００に近づけられて充電器１００に組み合わされる。このとき、クリップ１２の第二端部５２が凹部１３２の底壁部１３３を摺接しながらクリップ１２が凹部１３２に挿入される。
【００５６】
ここで、クリップ１２には、第一磁石３１が設けられ、凹部１３２の底壁部１３３における第一磁石３１との対向部には、第一磁石３１との間に吸引力が生じる第一吸引磁石１１１が設けられている。したがって、クリップ１２が凹部１３２に挿入されていくと、第一磁石３１及び第一吸引磁石１１１の間に生じる吸引力によりクリップ１２が凹部１３２に吸い込まれる。そして、クリップ１２が凹部１３２に収容され、子機１０が充電器１００の正規の位置に組み合わされる。
【００５７】
また、子機１０の本体部１１には、第一コネクタ２７が設けられ、充電器１００には、充電コネクタ１０７が設けられている。充電コネクタ１０７は、子機１０が充電器１００に組み合わされた場合に第一コネクタ２７と接続される位置に配置されている。したがって、子機１０が充電器１００の正規の位置に組み合わされると同時に、第一コネクタ２７が充電コネクタ１０７に接続される。そして、第一コネクタ２７が充電コネクタ１０７に接続されることにより、第一コネクタ２７及び充電コネクタ１０７を介して充電器１００から第一バッテリ２６に電力が供給され、第一バッテリ２６が充電される。
【００５８】
このように、本実施形態によれば、クリップ１２に設けられた第一磁石３１と、凹部１３２の底壁部１３３に設けられた第一吸引磁石１１１との間に生じる吸引力により、クリップ１２を凹部１３２に吸い込むことができる。したがって、子機１０の第一バッテリ２６を円滑に充電するために、子機１０を充電器１００の正規の位置に容易に組み合わせることができる。
【００５９】
また、クリップ１２は、第一形状部５３を有し、凹部１３２の底壁部１３３は、第一形状部５３と対向する第二形状部１４３を有する。この第二形状部１４３は、第一対向部１４１側から第二対向部１４２側に向かうに従って正面壁１２１から徐々に遠ざかる形状を有する。そして、第一磁石３１及び第一吸引磁石１１１は、第一形状部５３及び第二形状部１４３にそれぞれ設けられている。したがって、第一磁石３１及び第一吸引磁石１１１の間に生じる吸引力により、クリップ１２の第二端部５２を凹部１３２の底壁部１３３に摺接させながら、クリップ１２を凹部１３２に吸い込ませることができる。これにより、子機１０を安定した姿勢で充電器１００に組み合わせることができる。
【００６０】
しかも、第二形状部１４３は、第一対向部１４１側から第二対向部１４２側に向かうに従って正面壁１２１から徐々に遠ざかるように反る反り形状を有する。したがって、クリップ１２の第二端部５２が凹部１３２の底壁部１３３を摺接する際に、この第二端部５２が第二形状部１４３の湾曲部５３Ａの頂点を過ぎると、底壁部１３３側へのクリップ１２の移動量が増加する。これにより、クリップ１２をより勢いよく凹部１３２に吸い込ませることができるので、子機１０をより的確に充電器１００の正規の位置に組み合わせることができる。
【００６１】
また、第一吸引磁石１１１は、第二形状部１４３の長さ方向の中央部である湾曲部１４３Ａの頂点よりも第二対向部１４２側に配置されている。したがって、クリップ１２の第二端部５２が第二形状部１４３の湾曲部５３Ａの頂点を過ぎると、第一磁石３１及び第一吸引磁石１１１の間に生じる吸引力が強まるので、クリップ１２をより一層勢いよく凹部１３２に吸い込ませることができる。
【００６２】
また、クリップ１２の両側の側部５４（図８参照）は、クリップ１２の長さ方向に沿って平行に延びており、凹部１３２の両側の側面１３４（図１４参照）は、クリップ１２の両側の側部５４に沿って形成されている。したがって、凹部１３２の両側の側面１３４がクリップ１２の両側の側部５４を案内するガイド部の役割を果たすので、クリップ１２の長さ方向に沿ってクリップ１２を凹部１３２に真っ直ぐに挿入することができる。これにより、子機１０を充電器１００に組み合わせる際に子機１０に位置ずれが生じることを抑制できる。
【００６３】
また、第一コネクタ２７は、子機１０が充電器１００に組み合わされる側から見て、クリップ１２の第二端部５２側の延長上に配置されている（図８（Ｆ）参照）。したがって、クリップ１２の長さ方向に沿ってクリップ１２が凹部１３２に真っ直ぐに挿入されることに伴って、第一コネクタ２７を充電コネクタ１０７に円滑に接続できる。
【００６４】
また、子機１０の本体部１１には、第一係合凹部４４が形成され、充電器１００には、第一係合凹部４４と係合する形状を有する係合凸部１２４が形成されている。そして、第一係合凹部４４には、第一コネクタ２７が設けられ、係合凸部１２４には、充電コネクタ１０７が設けられている。したがって、係合凸部１２４が第一係合凹部４４に係合されることにより、第一コネクタ２７を充電コネクタ１０７に案内できる。これにより、第一コネクタ２７を充電コネクタ１０７に円滑に接続できる。
【００６５】
また、係合凸部１２４に設けられた充電コネクタ１０７は、充電器１００の正面壁１２１に対して突出高さＨ（図１６参照）を有する。この突出高さＨは、第一コネクタ２７及び充電コネクタ１０７が接続された状態において、クリップ１２の第二端部５２と、これに対向する底壁部１３３の第二対向部１４２との間に隙間を生じさせる高さに設定されている。したがって、子機１０及び充電器１００が水平に置かれた状態では、子機１０の重量を第一コネクタ２７に付加した状態で第一コネクタ２７を充電コネクタ１０７に接続できる。これにより、第一コネクタ２７を充電コネクタ１０７に確実に接続できる。
【００６６】
また、第一磁石３１は、支持部５５に対する第一端部５１側に配置されている。したがって、例えば、第一磁石３１が支持部５５に対する第二端部５２側に配置された場合に比して、第二端部５２と本体部１１との間の隙間を確保できる。これにより、クリップ１２を回動させる際に第一磁石３１と本体部１１とが干渉することを抑制して、クリップ１２の回動量を確保できる。
【００６７】
続いて、図２０には、図１の親機６０を充電器１００に組み合わせる様子が示されている。親機６０は、充電器１００の正面の上方から徐々に充電器１００に近づけられて充電器１００に組み合わされる。ここで、親機６０は、第二磁石８２を有し、充電器１００における第二磁石８２との対向部には、第二磁石８２との間に吸引力が生じる第二吸引磁石１１２が設けられている。したがって、親機６０が充電器１００に近づけられていくと、第二磁石８２及び第二吸引磁石１１２の間に生じる吸引力により親機６０が充電器１００に吸い込まれ、親機６０が充電器１００の正規の位置に組み合わされる。
【００６８】
また、親機６０は、第二コネクタ７７（図１０、図１１参照）を有し、充電器１００には、充電コネクタ１０７（図１３、図１４参照）が設けられている。充電コネクタ１０７は、親機６０が充電器１００に組み合わされた場合に第二コネクタ７７と接続される位置に配置されている。したがって、親機６０が充電器１００の正規の位置に組み合わされると同時に、第二コネクタ７７が充電コネクタ１０７に接続される。そして、第二コネクタ７７が充電コネクタ１０７に接続されることにより、第二コネクタ７７及び充電コネクタ１０７を介して充電器１００から第二バッテリ７６に電力が供給され、第二バッテリ７６が充電される。
【００６９】
このように、本実施形態によれば、親機６０の第二磁石８２と、充電器１００における第二磁石８２との対向部に設けられた第二吸引磁石１１２との間に生じる吸引力により、親機６０を充電器１００に吸い込むことができる。したがって、親機６０の第二バッテリ７６を円滑に充電するために、親機６０を充電器１００の正規の位置に容易に組み合わせることができる。
【００７０】
また、親機６０の一対の第二磁石８２は、凹部１３２の横幅方向両側の部分との対向部にそれぞれ設けられており、充電器１００の一対の第二吸引磁石１１２は、凹部１３２の横幅方向両側の部分にそれぞれ設けられている。したがって、例えば、第二磁石８２及び第二吸引磁石１１２がそれぞれ一つずつである場合に比して、この一対の第二磁石８２及び一対の第二吸引磁石１１２の間に生じる吸引力により、親機６０を安定した姿勢で充電器１００に組み合わせることができる。
【００７１】
また、親機６０には、第二係合凹部９４（図１０、図１１参照）が形成され、充電器１００には、第二係合凹部９４と係合する形状を有する係合凸部１２４（図１３、図１４参照）が形成されている。そして、第二係合凹部９４には、第二コネクタ７７が設けられ、係合凸部１２４には、充電コネクタ１０７が設けられている。したがって、係合凸部１２４が第二係合凹部９４に係合されることにより、第二コネクタ７７を充電コネクタ１０７に案内できる。これにより、第二コネクタ７７を充電コネクタ１０７に円滑に接続できる。
【００７２】
次に、本実施形態の変形例を説明する。
【００７３】
上記実施形態において、通信システムＳは、複数の子機１０を備えるが、通信システムＳにおける子機１０の数は、一つでもよい。また、通信システムＳは、親機６０及び充電器１００を一つずつ備えるが、通信システムＳにおける親機６０及び充電器１００の数は、複数でもよい。
【００７４】
また、充電器１００と組み合わされる電子機器は、子機１０とされているが、電子機器と充電器のセットにおいて充電器１００と組み合わされる電子機器は、子機１０以外に、クリップを有する各種ウェアリングデバイス等の電子機器でもよい。
【００７５】
また、子機１０における第一磁石３１の数は、一つとされているが、子機１０における第一磁石３１の数は、複数でもよい。また、子機１０における第一磁石３１の数に応じて、充電器１００における第一吸引磁石１１１の数も、複数でもよい。
【００７６】
また、親機６０における第二磁石８２の数は、二つとされているが、親機６０における第二磁石８２の数は、一つ又は三つ以上でもよい。また、親機６０における第二磁石８２の数に応じて、充電器１００における第二吸引磁石１１２の数も、一つ又は三つ以上でもよい。
【００７７】
また、第一磁石３１は、支持部５５に対する第一端部５１側に配置されているが、支持部５５に対する第二端部５２側に配置されてもよい。
【００７８】
また、一対の第二磁石８２は、凹部１３２の横幅方向両側の部分との対向部にそれぞれ配置されているが、第二磁石８２は、親機６０のどこに配置されてもよい。また、一対の第二吸引磁石１１２は、凹部１３２の横幅方向両側の部分にそれぞれ配置されているが、第二磁石８２との対向部であれば、充電器１００のどこに配置されてもよい。
【００７９】
また、第一吸引磁石１１１は、第二形状部１４３の長さ方向の中央部である湾曲部１４３Ａの頂点よりも第二対向部１４２側に配置されている。しかしながら、第一吸引磁石１１１は、底壁部１３３における第一吸引磁石１１１との対向部であれば、底壁部１３３のどこに配置されてもよい。また、第一吸引磁石１１１は、底壁部１３３に設けられているが、凹部１３２の側壁部に設けられていてもよい。
【００８０】
また、第一形状部５３は、その長さ方向の中央部に湾曲部５３Ａが形成された反り形状を有するが、その長さ方向の中央部に屈曲部が形成された反り形状を有していてもよい。
【００８１】
また、第一形状部５３は、好ましくは、第二形状部１４３に沿うように反る反り形状を有するが、それ以外の形状を有していてもよい。
【００８２】
また、第二形状部１４３は、その長さ方向の中央部に湾曲部５３Ａが形成された反り形状を有するが、その長さ方向の中央部に屈曲部が形成された反り形状を有していてもよい。また、底壁部１３３における第一対向部１４１と湾曲部１４３Ａとの間の部分、及び、底壁部１３３における湾曲部１４３Ａと第二対向部１４２との間の部分は、一例として、いずれも平面状（側面視で直線状）に形成されているが、いずれも湾曲状に形成されてもよい。
【００８３】
また、第二形状部１４３は、第一対向部１４１側から第二対向部１４２側に向かうに従って正面壁１２１から徐々に遠ざかるように反る反り形状を有する。しかしながら、第二形状部１４３は、全体的に平面状（側面視で直線状）に形成されると共に、第一対向部１４１側から第二対向部１４２側に向かうに従って正面壁１２１から徐々に遠ざかるように正面壁１２１に対して傾斜していてもよい。
【００８４】
また、第二形状部１４３は、好ましくは、第一対向部１４１側から第二対向部１４２側に向かうに従って正面壁１２１から徐々に遠ざかる形状を有するが、それ以外の形状を有していてもよい。
【００８５】
また、クリップ１２の両側の側部５４は、クリップ１２の長さ方向に沿って平行に延びているが、例えば、第一端部５１側から第二端部５２側に向かうに従って幅が狭まるようにテーパ状に形成されてもよい。同様に、凹部１３２の両側の側面１３４は、クリップ１２の両側の側部５４に沿って形成されているが、第一対向部１４１側から第二対向部１４２側に向かうに従って幅が狭まるようにテーパ状に形成されてもよい。
【００８６】
また、クリップ１２は、第一端部５１と第二端部５２との間に設けられた支持部５５によって本体部１１に回動可能に支持されているが、支持部５５は、クリップ１２の第二端部５２に設けられていてもよい。
【００８７】
また、第一コネクタ２７は、好ましくは、子機１０が充電器１００に組み合わされる側から見て、クリップ１２の第二端部５２側の延長上に配置されているが、クリップ１２の第二端部５２側の延長上から外れた位置に配置されてもよい。
【００８８】
また、充電コネクタ１０７の突出高さＨは、好ましくは、第一コネクタ２７及び充電コネクタ１０７が接続された状態において、第二端部５２と第二対向部１４２との間に隙間を生じさせる高さに設定されている。しかしながら、充電コネクタ１０７の突出高さＨは、第一コネクタ２７及び充電コネクタ１０７が接続された状態において、第二端部５２と第二対向部１４２とを当接させる高さに設定されてもよい。
【００８９】
また、上記複数の変形例のうち組み合わせ可能な変形例は、適宜、組み合わされてもよい。
【００９０】
以上、本願の開示する技術の一実施形態を説明したが、本願の開示する技術は、上記に限定されるものでなく、上記以外にも、その主旨を逸脱しない範囲内において種々変形して実施可能であることは勿論である。
【要約】
子機と充電器のセット２００は、子機と、充電器とを備える。子機は、本体部、クリップ、及び第一磁石を有する。本体部は、第一バッテリと第一コネクタを有する。クリップは、本体部に沿って延びる。第一磁石は、クリップに設けられている。充電器は、充電コネクタ、凹部、第一吸引磁石を有する。充電コネクタは、第一コネクタと接続される位置に配置されている。凹部は、クリップを収容する位置に形成されている。第一吸引磁石は、凹部における第一磁石との対向部に設けられ、第一吸引磁石と第一磁石との間には吸引力が生じる。【図１】
0006575737.tif 000002
【図２】
0006575737.tif 000003
【図３】
0006575737.tif 000004
【図４】
0006575737.tif 000005
【図５】
0006575737.tif 000006
【図６】
0006575737.tif 000007
【図７】
0006575737.tif 000008
【図８】
0006575737.tif 000009
【図９】
0006575737.tif 000010
【図１０】
0006575737.tif 000011
【図１１】
0006575737.tif 000012
【図１２】
0006575737.tif 000013
【図１３】
0006575737.tif 000014
【図１４】
0006575737.tif 000015
【図１５】
0006575737.tif 000016
【図１６】
0006575737.tif 000017
【図１７】
0006575737.tif 000018
【図１８】
0006575737.tif 000019
【図１９】
0006575737.tif 000020
【図２０】
0006575737.tif 000021